【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
撮像装置により撮像された撮像動画を入力する動画入力手段と、
前記撮像動画を構成する第１の撮像画像と前記撮像動画の時間軸において前記第１の撮像画像よりも後に位置する第２の撮像画像とに基づいて前記第１の撮像画像および前記第２の撮像画像に関する変換情報を算出する変換情報算出手段と、
前記第１の撮像画像を含み前記撮像動画の時間軸において前記第２の撮像画像よりも前に位置する各画像を履歴画像として保持する画像保持手段と、
前記算出された変換情報に基づいて前記履歴画像および前記第２の撮像画像のうちの少なくとも一方を変換する画像変換手段と、
前記画像変換手段による変換の対象となる画像を選択する選択操作を受け付ける操作受付手段と、
前記受け付けられた選択操作に応じて前記画像変換手段により少なくとも一方が変換された前記履歴画像および前記第２の撮像画像を合成して合成画像とする画像合成手段と、
前記合成画像を出力する出力手段と、
前記合成画像を前記出力手段に順次出力させる制御手段と
を具備する画像処理装置。
【請求項２】
前記画像合成手段は、前記画像変換手段により少なくとも一方が変換された前記第２の撮像画像を前記履歴画像に上書きして合成して前記合成画像とし前記合成画像を新たな履歴画像として前記画像保持手段に保持させる請求項１記載の画像処理装置。
【請求項３】
前記画像合成手段は、前記変換された第２の撮像画像の画質を前記履歴画像に応じて変換することにより前記画像変換手段により変換された第２の撮像画像を前記履歴画像に上書きして合成する請求項２記載の画像処理装置。
【請求項４】
前記画像合成手段は、前記画質が変換される前の前記画像変換手段により変換された第２の画像を前記新たな履歴画像に上書きして新たな合成画像とし、
前記制御手段は、前記新たな合成画像を前記出力手段に順次出力させる
請求項３記載の画像処理装置。
【請求項５】
前記画像保持手段に保持されている前記新たな履歴画像から前記出力手段に出力させる出力画像を取り出す出力画像取出手段をさらに具備し、
前記画像合成手段は、前記画質が変換される前の前記画像変換手段により変換された第２の画像を前記出力画像に上書きして合成して新たな出力画像とし、
前記制御手段は、前記新たな出力画像を前記出力手段に順次出力させる
請求項４記載の画像処理装置。
【請求項６】
前記出力画像取出手段は、前記画像保持手段の保持領域における前記変換された第２の撮像画像の位置および大きさと前記保持領域における前記出力画像の位置および大きさとに基づいて前記画質が変換される前の前記画像変換手段により変換された第２の画像を前記出力画像に上書きする位置および大きさを算出し、
前記画像合成手段は、前記画質が変換される前の前記画像変換手段により変換された第２の画像を前記出力画像に前記算出された位置および大きさに基づいて上書きして合成する
請求項５記載の画像処理装置。
【請求項７】
前記出力画像取出手段は、前記新たな履歴画像に含まれる前記変換された第２の撮像画像の少なくとも一部が前記出力画像を取り出すための領域である出力領域の外にはみ出している場合には前記はみ出している画像部分の方向に前記出力領域を移動させて前記新たな履歴画像から前記出力画像を取り出す請求項５記載の画像処理装置。
【請求項８】
前記画像保持手段に保持されている前記新たな履歴画像から前記算出された変換情報に基づいて算出された領域に含まれる画像を前記出力手段に出力させる出力画像として取り出す出力画像取出手段を具備し、
前記画像合成手段は、前記画像変換手段により変換される前の前記第２の撮像画像を前記出力画像に上書きして合成して新たな出力画像とし、
前記制御手段は、前記新たな出力画像を前記出力手段に順次出力させる
請求項２記載の画像処理装置。
【請求項９】
前記出力画像取出手段は、前記算出された変換情報に基づいて前記画像変換手段による前記第２の撮像画像の変換方向とは逆方向に前記出力画像を変換し、
前記画像合成手段は、前記画像変換手段により変換される前の前記第２の撮像画像を前記変換された出力画像に上書きして合成して新たな出力画像とする
請求項８記載の画像処理装置。
【請求項１０】
前記画像変換手段は、前記算出された変換情報に基づいて前記第２の撮像画像の変換の方向とは逆方向に前記履歴画像を変換する請求項２記載の画像処理装置。
【請求項１１】
前記変換情報は、拡大縮小と移動と回転とに関する要素を含み、
前記画像変換手段は、前記算出された変換情報に含まれる移動および回転に関する要素に基づいて前記第２の撮像画像を変換するとともに前記算出された変換情報に含まれる拡大縮小に関する要素に基づいて前記履歴画像を変換する
請求項２記載の画像処理装置。
【請求項１２】
前記画像変換手段は、前記第２の撮像画像の変換方向とは逆方向に前記履歴画像を変換する請求項１１記載の画像処理装置。
【請求項１３】
前記撮像画像を圧縮する圧縮手段を具備し、
前記合成画像を出力する際の前記履歴画像は圧縮画像であり、かつ、前記第２の撮像画像は非圧縮画像または圧縮された前記履歴画像よりも高解像度の撮像画像である
請求項１記載の画像処理装置。
【請求項１４】
撮像装置により撮像された撮像動画を構成する第１の撮像画像および第２の撮像画像のうちの少なくとも一方を変換するための変換情報が関連付けられて記録されている前記撮像動画を取得する動画取得手段と、
前記取得された撮像動画から前記変換情報を抽出する変換情報抽出手段と、
前記第１の撮像画像を含み前記撮像動画の時間軸において前記第２の撮像画像よりも前に位置する各画像を履歴画像として保持する画像保持手段と、
前記抽出された変換情報に基づいて前記履歴画像および前記第２の撮像画像のうちの少なくとも一方を変換する画像変換手段と、
前記画像変換手段による変換の対象となる画像を選択する選択操作を受け付ける操作受付手段と、
前記受け付けられた選択操作に応じて前記画像変換手段により少なくとも一方が変換された前記履歴画像および前記第２の撮像画像を合成して合成画像とする画像合成手段と、
前記合成画像を出力する出力手段と、
前記合成画像を前記出力手段に順次出力させる制御手段と
を具備する画像処理装置。
【請求項１５】
撮像装置により撮像された撮像動画を構成する第１の撮像画像および第２の撮像画像のうちの少なくとも一方を変換するための変換情報を前記撮像動画を構成するフレーム毎に関連付けて記憶する変換情報記憶手段と、
前記撮像動画を取得する動画取得手段と、
前記取得された撮像動画に関連付けて前記変換情報記憶手段に記憶されている変換情報を取得する変換情報取得手段と、
前記第１の撮像画像を含み前記撮像動画の時間軸において前記第２の撮像画像よりも前に位置する各画像を履歴画像として保持する画像保持手段と、
前記取得された変換情報に基づいて前記履歴画像および前記第２の撮像画像のうちの少なくとも一方を変換する画像変換手段と、
前記画像変換手段による変換の対象となる画像を選択する選択操作を受け付ける操作受付手段と、
前記受け付けられた選択操作に応じて前記画像変換手段により少なくとも一方が変換された前記履歴画像および前記第２の撮像画像を合成して合成画像とする画像合成手段と、
前記合成画像を出力する出力手段と、
前記合成画像を前記出力手段に順次出力させる制御手段と
を具備する画像処理装置。
【請求項１６】
撮像装置により撮像された撮像動画を入力する動画入力手段と、
前記撮像動画を構成する撮像画像のうちの少なくとも１つの撮像画像を基準にして他の撮像画像を変換するための変換情報を撮像画像毎に算出する変換情報算出手段と、
前記撮像動画を構成する撮像画像のうちの少なくとも１つの撮像画像を基準画像として前記算出された変換情報に基づいて当該変換情報に係る撮像画像を変換する画像変換手段と、
前記変換された前記撮像画像を保持する画像保持手段と、
前記画像保持手段に最後に保持された前記撮像画像を前記出力手段に順次出力させる制御手段と
を具備する画像処理装置。
【請求項１７】
撮像装置により撮像された撮像動画を入力する動画入力手段と、
前記撮像動画を構成する第１の撮像画像と前記撮像動画の時間軸において前記第１の撮像画像よりも後に位置する第２の撮像画像とに基づいて前記第１の撮像画像および前記第２の撮像画像に関する変換情報を算出する変換情報算出手段と、
前記第１の撮像画像を含み前記撮像動画の時間軸において前記第２の撮像画像よりも前に位置する各画像を履歴画像として保持する画像保持手段と、
前記算出された変換情報に基づいて前記履歴画像および前記第２の撮像画像のうちの少なくとも一方を変換する画像変換手段と、
前記画像変換手段による変換の対象となる画像を選択する選択操作を受け付ける操作受付手段と、
前記受け付けられた選択操作に応じて前記画像変換手段により少なくとも一方が変換された前記履歴画像および前記第２の撮像画像を合成して合成画像とする画像合成手段と、
前記合成画像を表示する表示手段と、
前記合成画像を前記表示手段に順次表示させる制御手段と
を具備する動画再生装置。
【請求項１８】
撮像装置により撮像された撮像動画を入力する動画入力手段と、
前記撮像動画を記憶する撮像動画記憶手段と、
前記撮像動画を構成する撮像画像のうちの少なくとも１つの撮像画像を基準にして他の撮像画像を変換するための変換情報を前記撮像動画を構成するフレーム毎に算出する変換情報算出手段と、
前記算出された変換情報を前記フレーム毎に関連付けて前記撮像動画記憶手段に記録する記録制御手段と
を具備する画像処理装置。
【請求項１９】
撮像装置により撮像された撮像動画を入力する動画入力手順と、
前記撮像動画を構成する第１の撮像画像と前記撮像動画の時間軸において前記第１の撮像画像よりも後に位置する第２の撮像画像とに基づいて前記第１の撮像画像および前記第２の撮像画像に関する変換情報を算出する変換情報算出手順と、
前記第１の撮像画像を含み前記撮像動画の時間軸において前記第２の撮像画像よりも前に位置する各画像を履歴画像として画像保持手段に保持させる画像保持手順と、
前記算出された変換情報に基づいて前記履歴画像および前記第２の撮像画像のうちの少なくとも一方を変換する画像変換手順と、
前記画像変換手段による変換の対象となる画像を選択する選択操作を受け付ける操作受付手順と、
前記受け付けられた選択操作に応じて前記画像変換手順で少なくとも一方が変換された前記履歴画像および前記第２の撮像画像を合成して合成画像とする画像合成手順と、
前記合成画像を順次出力させる制御手順と
を具備する画像処理方法。
【請求項２０】
撮像装置により撮像された撮像動画を入力する動画入力手順と、
前記撮像動画を構成する第１の撮像画像と前記撮像動画の時間軸において前記第１の撮像画像よりも後に位置する第２の撮像画像とに基づいて前記第１の撮像画像および前記第２の撮像画像に関する変換情報を算出する変換情報算出手順と、
前記第１の撮像画像を含み前記撮像動画の時間軸において前記第２の撮像画像よりも前に位置する各画像を履歴画像として画像保持手段に保持させる画像保持手順と、
前記算出された変換情報に基づいて前記履歴画像および前記第２の撮像画像のうちの少なくとも一方を変換する画像変換手順と、
前記画像変換手段による変換の対象となる画像を選択する選択操作を受け付ける操作受付手順と、
前記受け付けられた選択操作に応じて前記画像変換手順で少なくとも一方が変換された前記履歴画像および前記第２の撮像画像を合成して合成画像とする画像合成手順と、
前記合成画像を順次出力させる制御手順と
をコンピュータに実行させるプログラム。
【手続補正２】
【補正対象書類名】明細書
【補正対象項目名】０２８６
【補正方法】変更
【補正の内容】
【０２８６】
なお、本発明の実施の形態は本発明を具現化するための一例を示したものであり、特許請求の範囲における発明特定事項とそれぞれ対応関係を有するが、これに限定されるものではなく本発明の要旨を逸脱しない範囲において種々の変形を施すことができる。
【手続補正３】
【補正対象書類名】明細書
【補正対象項目名】０２８７
【補正方法】削除
【補正の内容】
【手続補正４】
【補正対象書類名】明細書
【補正対象項目名】０２８８
【補正方法】削除
【補正の内容】
【手続補正５】
【補正対象書類名】明細書
【補正対象項目名】０２８９
【補正方法】削除
【補正の内容】
【手続補正６】
【補正対象書類名】明細書
【補正対象項目名】０２９０
【補正方法】削除
【補正の内容】
【手続補正７】
【補正対象書類名】明細書
【補正対象項目名】０２９１
【補正方法】削除
【補正の内容】
【手続補正８】
【補正対象書類名】明細書
【補正対象項目名】０２９２
【補正方法】削除
【補正の内容】
【手続補正９】
【補正対象書類名】明細書
【補正対象項目名】０２９３
【補正方法】削除
【補正の内容】
【手続補正１０】
【補正対象書類名】明細書
【補正対象項目名】０２９４
【補正方法】削除
【補正の内容】
【手続補正１１】
【補正対象書類名】明細書
【補正対象項目名】０２９５
【補正方法】削除
【補正の内容】
【手続補正１２】
【補正対象書類名】明細書
【補正対象項目名】０２９６
【補正方法】削除
【補正の内容】
【手続補正１３】
【補正対象書類名】明細書
【補正対象項目名】０２９７
【補正方法】削除
【補正の内容】